(57)【要約】      （修正有）【課題】底面と側面とが交わって形成される角部について、衝撃入力に対する強度・剛性を向上した電子機器を提供する。【解決手段】信号を処理する電子部品を実装した電子回路を内蔵する筐体３１を備えたノートパソコンであって、前記筐体は、当該筐体の厚さを規定する側面３１ｓと、該側面と略直交する底面３１ｂとを有するとともに、該底面と前記側面とが交わる角部には、側面下部を内方へ所定量段下げし、前記底面と平行に形成した段差部３６が設けられている。【選択図】図６
2011070487.tif 000002
【特許請求の範囲】
【請求項１】
信号を処理する電子部品を実装した電子回路を内蔵する筐体を備えた電子機器であって、
前記筐体は、当該筐体の厚さを規定する側面と、該側面と略直交する底面とを有するとともに、該底面と前記側面とが交わる角部には、側面下部を内方へ所定量段下げし、前記底面と平行に形成した段差部が設けられている、
ことを特徴とする電子機器。
【請求項２】
前記筐体には、前記電子部品が発生する熱を外部に放散させる放熱フィンを収容するフィン収容部と、前記放熱フィン近傍に前記フィン収容部に連設する開口部とを備え、
前記放熱フィンは、前記段差部の段差形状に対応した曲面形状を有して前記開口部の近傍に取り付けられている、
ことを特徴とする請求項１記載の電子機器。
【発明の詳細な説明】
【技術分野】
【０００１】
本発明は、例えばノート型パーソナルコンピュータ（以下、適宜、「ノートパソコン」と略称する）などの電子機器に関し、特に、電子回路を内蔵する筐体堅牢性を向上した電子機器に関する。
【背景技術】
【０００２】
周知のように、例えばノートパソコン等の電子機器は、種々の電子回路を内蔵した筐体を備えている。例えば、特許文献１には、複写機等の画像形成装置，ＡＶ機器，その他の電化製品など、本体フレームよりも外方に突出して位置する外装カバーを備えた電子機器において、外装カバーの上側角部と下側角部に傾斜部を設け、下側角部の傾斜部に空気取入口を設ける一方、上側角部の傾斜部に空気排出口を設けておき、少なくとも何れか一方に空気を強制的に取り入れる又は排出させるためのファンを取り付け、空気取入口から取り入れた空気を所定の経路で電子機器内に流通させた上で、最終的に空気排出口から排出させることにより、電子機器の内部で発生した熱を機器の外部に放散させるようにした構成が開示されている。
【０００３】
この外装カバーに対して所定角度傾斜させた構成により、電子機器を移動させる際に、作業者が誤って電子機器の下部に手をかけて持ち上げ、外装カバーを破損することを抑制する効果を奏する。
【先行技術文献】
【特許文献】
【０００４】
【特許文献１】特開２００６−０５９９４５号公報
【発明の概要】
【発明が解決しようとする課題】
【０００５】
ところで、筐体の底面と側面とが交わって略直角に形成された前記角部に異物がぶつかると、その衝撃で角部が変形する場合があり、筐体の堅牢化の一環として、この角部についても、衝撃入力に対する強度・剛性を高めることが求められる。しかしながら、上述のように角部に異物がぶつかることに起因する当該角部の堅牢性に対しては、特許文献１では何等開示されていない。
【０００６】
そこで、本発明は、底面と側面とが交わって形成される角部について、衝撃入力に対する強度・剛性を向上させることを、基本的な目的としてなされたものである。
【課題を解決するための手段】
【０００７】
このため、本発明に係る電子機器は、信号を処理する電子部品を実装した電子回路を内蔵する筐体を備えた電子機器であって、前記筐体は、当該筐体の厚さを規定する側面と、該側面と略直交する底面とを有するとともに、該底面と前記側面とが交わる角部には、側面下部を内方へ所定量段下げし、前記底面と平行に形成した段差部が設けられている、ことを特徴としたものである。
【発明の効果】
【０００８】
本発明によれば、筐体の底面と側面とが交わる角部には、側面下部を内方へ所定量段下げして、つまり、側面下部を内方へ折り曲げた上で底面に向かって延びるように屈曲させて、形成した段差部が設けられている。かかる段差部（つまり、屈曲部）を設けたことにより、底面と側面とが交わる前記角部の衝撃入力に対する強度・剛性を効果的に高めることができる。
【図面の簡単な説明】
【０００９】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの不使用状態における底面図
【図６】前記ノートパソコンの第２筐体のフィン収容部を含む段差部の斜視図
【図７】図６のＹ７−Ｙ７線に沿った断面図
【発明を実施するための形態】
【００１０】
本発明の電子機器は、上述の構成を基本として、以下のような態様をとることができる。すなわち、前記構成の電子機器において、前記筐体には、前記電子部品が発生する熱を外部に放散させる放熱フィンを収容するフィン収容部と、前記放熱フィン近傍に前記フィン収容部に連設する開口部とを備え、前記放熱フィンは、前記段差部の段差形状に対応した曲面形状を有して前記開口部の近傍に取り付けられていてもよい。
【００１１】
この場合には、放熱フィンは、前記段差部の段差形状に対応した屈曲形状を有しているので、フィン収容部の筐体外部に開口する開口部の近傍に、支障なく取り付けることができ、そのレイアウト性が損なわれることはない。
【００１２】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００１３】
図１及び図２は、本実施形態に係るノートパソコンの使用可能状態（開状態）および不使用状態（閉状態）をそれぞれ示す斜視図である。また、図３，図４及び図５は、前記ノートパソコンの不使用状態における平面図，側面図および底面図である。
【００１４】
これらの図に示すように、本実施形態に係る電子機器としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００１５】
前記表示部１０は、表示部側の筐体１１（第１筐体）に格納されてその周縁および背面が覆われており、一方、制御操作部３０は操作制御部側の筐体３１（第２筐体）に格納され、両筐体１０，３０は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、ユーザがノートパソコンＷを操作する操作状態における当該ノートパソコンＷのユーザから見た後側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００１６】
前記ノートパソコンＷは、例えば、充電式のバッテリ（電池）からの給電によって駆動することができるものであり、図５に示されるように、ノートパソコンＷの後側底部には、充電式の電池をユニット化した電池パック５０が着脱可能に装着されている。
前記第２筐体３１は、当該筐体３１の厚さ（高さ）を規定する側面３１ｓと、この側面３１ｓと略直角に交わる前記底面３１ｂとを有している。従来では、この底面３１ｂと側面３１ｓとが交わって略直角の角部が形成されるのであるが、本実施形態では、第２筐体３１の堅牢化の一環として、この角部の衝撃入力に対する強度・剛性を高めるために、当該角部に、側面下部を内方へ所定量段下げし、前記底面３１ｂと平行に形成した段下げ部３６ｃを含む段差部３６が設けられている。
【００１７】
図６は前記ノートパソコンＷの第２筐体３１の一側面（図３及び図５における左側面）の下部を示す斜視図、また、図７は図６のＹ７−Ｙ７線に沿った縦断面図である。
図６から良く分かるように、第２筐体３１の底面３１ｂと側面３１ｓとが交わって形成される略直角の角部には、側面３１ｓ下部を内方へ所定量段下げして、つまり、側面３１ｓ下部を内方へ折り曲げた上で底面３１ｂに向かって延びるように屈曲させて、内方への段下げ部３６ｃと下方に向かって延びる縦壁部３６ｄとで構成される段差部３６が設けられている。かかる段差部３６（つまり、屈曲部）を設けたことにより、底面３１ｂと側面３１ｓとが交わる角部の衝撃入力に対する強度・剛性を効果的に高めることができる。
【００１８】
ノートパソコンＷの第２筐体３１には、前記信号処理回路や中央演算処理装置（所謂ＣＰＵ）をはじめとして種々の電子回路が内蔵されており、ノートパソコンＷの作動中には、これら電子回路が駆動されて昇温・発熱する。このようなノートパソコンＷの第２筐体３１に内蔵された電子回路が発生する熱は、できるだけ速やかに当該筐体３１の外部に放散させることが求められる。
【００１９】
本実施形態では、このようにノートパソコンＷ内に内蔵された電子回路が発生する熱を、筐体３１の外部へできるだけ効率良く速やかに放散させるために、後述するように、所謂、放熱フィン４１（図７参照）が用いられている。そして、かかる放熱フィン４１を第２筐体３１内に設けるに際して、放熱効率をより高めるために、第２筐体３１に設けた放熱フィン収容部４０の筐体外部への開口部４０Hを第２筐体３１の側面３１ｓに形成し、この開口部４０Hのできるだけ近傍に、放熱フィン４１を配置するようにしている。
【００２０】
以下、放熱フィン４１及びその配置構造等について説明する。本実施形態では、前記種々の電子回路のうちの少なくとも幾つか（より好ましくは、発熱量が多いもの）について、そのできるだけ近傍に、例えば、所定厚さおよび幅の棒状またはパイプ状の伝熱部材３９（所謂ヒートパイプ）を延設し、図７に示されるように、この伝熱部材３９の端末部分を放熱フィン４１に取り付けて、第２筐体３１の外部への熱放散を促進するようにしている。
【００２１】
前記伝熱部材３９は、熱伝導率の高い例えば銅などの金属材料を用いて、例えば、対象とする電子回路群の配置構造に合わせて曲がりくねった形状に形成されている。また、前記放熱フィン４１は、やはり熱伝導率の高い金属材料を用いた多数のひれ状体で構成されている。
【００２２】
図７から良く分かるように、ノートパソコンＷの第２筐体３１の一側部（図３及び図５における左側部）には、前記放熱フィン４１を収容するフィン収容部４０が設けられ、該フィン収容部４０は、第２筐体３１の側面３１ｓ開口する開口部４０Ｈを備えている。この開口部４０Ｈには、放熱フィン４１の外側部を覆う例えば樹脂製の格子状部材４２（放熱グリル）が装着されている。また、放熱フィン４１の内方には、放熱フィン４１を冷却して伝熱部材３９により伝えられた熱の放散を促進するために冷却ファン４３が配置されている。尚、より好ましくは、放熱フィン４１の外周は、熱伝導率の低い例えば発泡材料で形成された断熱層４５で覆われている。
【００２３】
放熱フィン４１は、伝熱部材３９によって伝えられた熱を第２筐体３１の外部にできるだけ速やかに放散させるために、フィン収容部４０の筐体外部への開口部４０Ｈのできるだけ近傍に配置することが望ましいのであるが、前述のように、本実施形態では、第２筐体３１の底面３１ｂと側面３１ｓとが交わって形成される略直角の角部の衝撃入力に対する強度・剛性を高めるために、当該角部には、側面３１ｓ下部を内方へ所定量段下げして、つまり、側面３１ｓ下部を内方へ折り曲げた上で底面３１ｂに向かって延びるように屈曲させて、段差部３６（つまり、屈曲部）が設けられている。
【００２４】
このため、前記放熱フィン４１には、フィン収容部４０の開口部４０Ｈに対向する側の下部に、前記段差部３６の段差形状に対応した屈曲形状を有する屈曲部４１ｋが設けられている。従って、第２筐体３１の底面３１ｂと側面３１ｓとが交わって形成される略直角の角部に段差部３６（つまり、屈曲部）が設けられていても、放熱フィン４１を支障なく（フィン収容部４０からはみ出すことなく）、フィン収容部４０の開口部４０Ｈの近傍に取り付けることができる。また、放熱フィン４１は屈曲部４１ｋを備えた分だけ面積を拡大することができ、放熱効率を向上させることができる。
【００２５】
以上、説明したように、本実施形態によれば、第２筐体３１の底面３１ｂと側面３１ｓとが交わる角部には、側面３１ｓ下部を内方へ所定量段下げして、つまり、側面３１ｓ下部を内方へ折り曲げた上で底面３１ｂに向かって延びるように屈曲させて、形成した段差部３６が設けられている。かかる段差部３６（つまり、屈曲部）を設けたことにより、底面３１ｂと側面３１ｓとが交わる前記角部の衝撃入力に対する強度・剛性を効果的に高めることができるのである。そして、この場合において、放熱フィン４１は、前記段差部３６の段差形状に対応した屈曲形状を有しているので、フィン収容部４０の筐体外部に開口する開口部３０Ｈの近傍に、支障なく取り付けることができ、そのレイアウト性が損なわれることはない。
【００２６】
尚、以上の説明は、ノートパソコンを例にとったものであったが、本発明はかかる場合に限定されるものではなく、放熱フィンを備える他の種々の電子機器においても、有効に適用することができる。
【００２７】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００２８】
本発明は、例えばノートパソコンなどの電子機器における筐体および放熱フィンの構造として、有効に利用することができる。
【符号の説明】
【００２９】
３１  第２筐体
３１ｂ  第２筐体の底部
３１ｓ  第２筐体の側部
３６  段差部
４０  フィン収容部
４０Ｈ  フィン収容部の開口部
４１  放熱フィン
４１ｋ  放熱フィンの屈曲部
Ｗ  ノートパソコン
【図１】
2011070487.tif 000003
【図２】
2011070487.tif 000004
【図３】
2011070487.tif 000005
【図４】
2011070487.tif 000006
【図５】
2011070487.tif 000007
【図６】
2011070487.tif 000008
【図７】
2011070487.tif 000009